(57)【特許請求の範囲】
【請求項１】
本体を含み、前記本体の中には空き空間が設けられ、前記空き空間の底壁には第二スライド溝が形成され、前記第二スライド溝の下端には第二回転空間が設けられ、前記第二回転空間の後端壁には第三モーターが固定的に連結され、前記第三モーターには前記第二回転空間の前後端壁と回転できるように連結された第一伝動軸が伝動できるように連結され、前記第二スライド溝の中にはトレイがスライドできるように連結され、前記トレイの上端壁には引っ掛かり溝が位置的に対称に形成され、右端にある前記引っ掛かり溝の中には高精度圧力センサーが固定的に連結され、前記トレイの下端には第一ラックが固定的に取り付けられ、前記第一ラックにおいて前記第二回転空間の中には第一歯車が噛み合っており、前記第一歯車が前記第一伝動軸と固定的に連結され、前記空き空間の上端壁には第一動き空間が設けられ、前記第一動き空間の上端壁には第一モーターが固定的に取り付けられ、前記第一モーターにはボルトが伝動できるように連結され、前記ボルトの下端が前記第一動き空間の下端壁と回転できるように連結され、前記ボルトには前記第一動き空間とスライドできるように連結された第一可動板がねじ山によって連結され、前記第一可動板には連結棒が固定的に連結され、前記連結棒の下端が前記空き空間と前記第一動き空間との間の壁を貫通して前記空き空間の中に延びており、前記連結棒の下端には固定板が固定的に連結され、前記固定板の下端壁には複数の第一スライド溝が位置的に対称に形成され、前記第一動き空間の右側には回転空間が設けられ、前記回転空間の中には疲労テスト装置が取り付けられ、前記回転空間の中には前記回転空間の左右両端壁と回転できるように連結されたウォームが取り付けられ、前記ウォームの後部がウォームホイールと噛み合っており、前記ウォームホイールが第二回転軸と固定的に連結され、前記第二回転軸の下端が前記回転空間の下端壁に回転できるように連結され、前記回転空間の下端後部には第二動き空間が連結され、前記第二動き空間の中には機械装置が設けられ、
前記疲労テスト装置は、前記第二回転軸に固定的に連結されたカムを含み、前記カムの左端壁には左方に開口したＴ型環状溝が形成され、前記Ｔ型環状溝には回転棒が回転できるように連結され、前記回転棒の左端にはスライドロッドが固定的に連結され、前記スライドロッドが前記回転空間と前記空き空間との間の壁にスライドできるように取り付けられ且つ前記空き空間に延びており、前記スライドロッドの下端において前記空き空間の中には可動ブロックが固定的に連結され、前記可動ブロックには固定ブロックがスライドできるように連結され、前記固定ブロックが下方に開口しており且つ凹溝を有し、前記固定ブロックの中には第三スライド溝が形成され、前記可動ブロックの左右両端において前記第三スライド溝の中にはスライドブロックが固定的に連結され、前記第三スライド溝の底壁には前記スライドブロックと固定的に連結された第二ばねが取り付けられ、
前記機械装置は、前記第三回転軸に固定的に連結された第一プーリーを含み、前記第一プーリーが送りベルトによって第二プーリーと連結され、前記第二プーリーが第三回転軸と固定的に連結され、前記第二動き空間の下側には第三動き空間が設けられ、前記第三回転軸の下端が前記第三動き空間に延びており且つ前記第二動き空間と前記第三動き空間との間の壁と回転できるように連結され、前記第三回転軸において前記第三動き空間の中にはスプラインスリーブがスプラインによって連結され、前記スプラインスリーブの外壁には前記第三動き空間とスライドできるように連結された第二可動板が回転できるように連結され、前記スプラインスリーブの下端には摩擦ブロックが固定的に連結され、前記第三動き空間の中には前記第三動き空間の底壁と回転できるよう連結された第二伝動軸が設けられ、前記第二伝動軸の下端には第二モーターが伝動できるように連結され、前記第二伝動軸の上端には摩擦盤が固定的に連結され、
前記第二可動板の上端が複数の第三ばねによって前記第三動き空間の上端壁と連結され、前記第三動き空間の下端が連結空間と連結され、前記第二可動板の下端が第二固定ブロックと固定的に連結され、前記第二可動板の左端下部には第一押し棒が固定的に連結され、前記第一押し棒の下端が前記第三動き空間と前記空き空間との間の壁を貫通して前記空き空間の中に延びており、前記第一押し棒の下端が前記固定ブロックの上端壁と固定的に連結され、前記第二固定ブロックが前記連結空間とスライドできるように連結され、前記連結空間の下端には前記連結空間の前後壁と回転できるように連結された第四回転軸が設けられ、前記第四回転軸には回転盤と第四歯車が固定的に連結され、前記回転盤が鎖によって前記第二固定ブロックの下端と連結され、前記第四歯車の下端には第二ラックが噛み合っており、前記第二ラックが前記連結空間の底壁とスライドできるように連結され、前記連結空間の右側には液圧空間が設けられ、前記第二ラックの右端が前記液圧空間の中に延びており且つ第一ピストン板と固定的に連結され、前記液圧空間の下端には第二ピストン板が設けられ、前記第二ピストン板の左端が第二押し棒と固定的に連結され、前記第二押し棒の左端が前記液圧空間の左端壁を貫通して前記第二スライド溝に延びており、
前記第一スライド溝の中にはプローブがスライドできるように連結され、前記第一スライド溝の頂壁には前記プローブと固定的に連結された第一ばねが取り付けられ、前記可動ブロックの下端壁には前記プローブがスライドできるように連結され、
初期状態に、前記第一可動板が前記第一動き空間の頂部に位置しており、
作動時に、使用者がテスト予定の圧力センサーを前記引っ掛かり溝に取り付け、前記第一モーターが作動し前記ボルトを回転させ、前記ボルトが前記第一可動板によって前記第一連結棒を降下させ、前記第一連結棒が前記固定板を降下させ、前記プローブが圧力センサーと接触し、前記プローブがデータを制御システムに送って比較し、前記第一モーターが逆回転し、前記固定板が初期位置に戻り、
圧力センサーと前記高精度センサーとのデータの差が条件を満たす場合、前記第三モーターは作動し、前記第一伝動軸が前記第一歯車を回転させ、前記第一歯車が前記第一ラックによって前記トレイを右方へ移動させ、前記トレイが最右端に移動したとき、前記第三モーターが止まり、前記トレイが前記第二押し棒を右方へ押し動かし、前記第二押し棒が前記第二ピストン板を右方へ移動させ、前記第一ピストン板が前記第二ラックを左方へ移動させ、前記第二ラックが前記第四歯車によって前記第四回転軸を回転させ、前記第四回転軸が前記回転盤を回転させ、前記回転盤が前記鎖を巻き取ることによって前記第二固定ブロックが前記第二可動板を降下させ、前記第二可動板が前記第一押し棒と前記スプラインスリーブを降下させ、前記第一押し棒が前記固定ブロックを降下させ、前記固定ブロックの下端が前記トレイと接触し、前記スプラインスリーブが前記摩擦ブロックを駆動し、前記摩擦ブロックが前記摩擦盤と接触し、前記第二モーターが作動し、前記第二伝動軸が前記摩擦盤と前記摩擦ブロックによって前記スプラインスリーブを回転させ、前記スプラインスリーブが前記第三回転軸によって前記第二プーリーを回転させ、前記第二プーリーが前記送りベルトによって前記第一プーリーを回転させ、前記第一プーリーが前記第三回転軸によって前記ウォームホイールを回転させ、前記ウォームホイールが前記ウォームによって前記カムを回転させ、前記カムが前記第一回転棒によって前記スライドロッドを上下に移動させ、前記スライドロッドが前記可動ブロックを上下に移動させ、前記プローブが前記可動ブロックにつれて圧力センサーと接触することを繰り返すことを特徴とする圧力センサーテスト装置。
【発明の詳細な説明】
【技術分野】
【０００１】
本願発明はセンサー技術分野を取り上げて、具体的には圧力センサーテスト装置である。
【背景技術】
【０００２】
圧力センサーとは、圧力を電気信号に変えて出力するセンサーであり、電子部品である。センサーに対する要求が高く、製造中においてセンサーの効果に影響する要素が多いため、センサーをテストする必要がある。今市販されているテスト装置のほとんどはセンサーの精度に対してテストをするだけで、センサーの使用寿命を検知できない。
【先行技術文献】
【特許文献】
【０００３】
【特許文献１】中国特許出願公開第１０５６２８２８６号明細書
【発明の概要】
【発明が解決しようとする課題】
【０００４】
本願発明の目的は圧力センサーテスト装置を提供し、それは上記の現在の技術中の問題を解決できる。
【課題を解決するための手段】
【０００５】
上記の課題を解決するため、本願発明は以下の技術プランを採用する：本願発明である圧力センサーテスト装置は、本体を含み、前記本体の中には空き空間が設けられ、前記空き空間の底壁には第二スライド溝が形成され、前記第二スライド溝の下端には第二回転空間が設けられ、前記第二回転空間の後端壁には第三モーターが固定的に連結され、前記第三モーターには前記第二回転空間の前後端壁と回転できるように連結された第一伝動軸が伝動できるように連結され、前記第二スライド溝の中にはトレイがスライドできるように連結され、前記トレイの上端壁には引っ掛かり溝が位置的に対称に形成され、右端にある前記引っ掛かり溝の中には高精度圧力センサーが固定的に連結され、前記トレイの下端には第一ラックが固定的に取り付けられ、前記第一ラックにおいて前記第二回転空間の中には第一歯車が噛み合っており、前記第一歯車が前記第一伝動軸と固定的に連結され、前記空き空間の上端壁には第一動き空間が設けられ、前記第一動き空間の上端壁には第一モーターが固定的に取り付けられ、前記第一モーターにはボルトが伝動できるように連結され、前記ボルトの下端が前記第一動き空間の下端壁と回転できるように連結され、前記ボルトには前記第一動き空間とスライドできるように連結された第一可動板がねじ山によって連結され、前記第一可動板には連結棒が固定的に連結され、前記連結棒の下端が前記空き空間と前記第一動き空間との間の壁を貫通して前記空き空間の中に延びており、前記連結棒の下端には固定板が固定的に連結され、前記固定板の下端壁には複数の第一スライド溝が位置的に対称に形成され、前記第一動き空間の右側には回転空間が設けられ、前記回転空間の中には疲労テスト装置が取り付けられ、前記回転空間の中には前記回転空間の左右両端壁と回転できるように連結されたウォームが取り付けられ、前記ウォームの後部がウォームホイールと噛み合っており、前記ウォームホイールが第二回転軸と固定的に連結され、前記第二回転軸の下端が前記回転空間の下端壁に回転できるように連結され、前記回転空間の下端後部には第二動き空間が連結され、前記第二動き空間の中には機械装置が設けられている。
【０００６】
優選の技術プランとして、前記疲労テスト装置は、前記第二回転軸に固定的に連結されたカムを含み、前記カムの左端壁には左方に開口したＴ型環状溝が形成され、前記Ｔ型環状溝には回転棒が回転できるように連結され、前記回転棒の左端にはスライドロッドが固定的に連結され、前記スライドロッドが前記回転空間と前記空き空間との間の壁にスライドできるように取り付けられ且つ前記空き空間に延びており、前記スライドロッドの下端において前記空き空間の中には可動ブロックが固定的に連結され、前記可動ブロックには固定ブロックがスライドできるように連結され、前記固定ブロックが下方に開口しており且つ凹溝を有し、前記固定ブロックの中には第三スライド溝が形成され、前記可動ブロックの左右両端において前記第三スライド溝の中にはスライドブロックが固定的に連結され、前記第三スライド溝の底壁には前記スライドブロックと固定的に連結された第二ばねが取り付けられている。
【０００７】
優選の技術プランとして、前記機械装置は、前記第三回転軸に固定的に連結された第一プーリーを含み、前記第一プーリーが送りベルトによって第二プーリーと連結され、前記第二プーリーが第三回転軸と固定的に連結され、前記第二動き空間の下側には第三動き空間が設けられ、前記第三回転軸の下端が前記第三動き空間に延びており且つ前記第二動き空間と前記第三動き空間との間の壁と回転できるように連結され、前記第三回転軸において前記第三動き空間の中にはスプラインスリーブがスプラインによって連結され、前記スプラインスリーブの外壁には前記第三動き空間とスライドできるように連結された第二可動板が回転できるように連結され、前記スプラインスリーブの下端には摩擦ブロックが固定的に連結され、前記第三動き空間の中には前記第三動き空間の底壁と回転できるよう連結された第二伝動軸が設けられ、前記第二伝動軸の下端には第二モーターが伝動できるように連結され、前記第二伝動軸の上端には摩擦盤が固定的に連結されている。
【０００８】
優選の技術プランとして、前記第二可動板の上端が複数の第三ばねによって前記第三動き空間の上端壁と連結され、前記第三動き空間の下端が連結空間と連結され、前記第二可動板の下端が第二固定ブロックと固定的に連結され、前記第二可動板の左端下部には第一押し棒が固定的に連結され、前記第一押し棒の下端が前記第三動き空間と前記空き空間との間の壁を貫通して前記空き空間の中に延びており、前記第一押し棒の下端が前記固定ブロックの上端壁と固定的に連結され、前記第二固定ブロックが前記連結空間とスライドできるように連結され、前記連結空間の下端には前記連結空間の前後壁と回転できるように連結された第四回転軸が設けられ、前記第四回転軸には回転盤と第四歯車が固定的に連結され、前記回転盤が鎖によって前記第二固定ブロックの下端と連結され、前記第四歯車の下端には第二ラックが噛み合っており、前記第二ラックが前記連結空間の底壁とスライドできるように連結され、前記連結空間の右側には液圧空間が設けられ、前記第二ラックの右端が前記液圧空間の中に延びており且つ第一ピストン板と固定的に連結され、前記液圧空間の下端には第二ピストン板が設けられ、前記第二ピストン板の左端が第二押し棒と固定的に連結され、前記第二押し棒の左端が前記液圧空間の左端壁を貫通して前記第二スライド溝に延びている。
【０００９】
優選の技術プランとして、前記第一スライド溝の中にはプローブがスライドできるように連結され、前記第一スライド溝の頂壁には前記プローブと固定的に連結された第一ばねが取り付けられ、前記可動ブロックの下端壁には前記プローブがスライドできるように連結されている。
【発明の効果】
【００１０】
有益効果：本願発明は、構造が簡単で、操作が便利であり、センサーに対して感度テストを行った後に疲労テストを行うことができ、作業効率を向上させ、また、プローブとセンサーをばねで保護し、トレイの移動によって疲労テストの開始を制御し、下方に開口した固定ブロックによって疲労テスト中に他の要素がテストの結果に影響することを防止する。
【図面の簡単な説明】
【００１１】
下記に図１〜２をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１２】
【図１】図１は本願発明の構成略図
【図２】図２は本願発明の右面構成略図
【発明を実施するための形態】
【００１３】
本願発明である圧力センサーテスト装置は、本体１を含み、前記本体１の中には空き空間３１が設けられ、前記空き空間３１の底壁には第二スライド溝９が形成され、前記第二スライド溝９の下端には第二回転空間５７が設けられ、前記第二回転空間５７の後端壁には第三モーター３２が固定的に連結され、前記第三モーター３２には前記第二回転空間５７の前後端壁と回転できるように連結された第一伝動軸３０が伝動できるように連結され、前記第二スライド溝９の中にはトレイ８がスライドできるように連結され、前記トレイ８の上端壁には引っ掛かり溝５６が位置的に対称に形成され、右端にある前記引っ掛かり溝５６の中には高精度圧力センサー２８が固定的に連結され、前記トレイ８の下端には第一ラック２７が固定的に取り付けられ、前記第一ラック２７において前記第二回転空間５７の中には第一歯車２９が噛み合っており、前記第一歯車２９が前記第一伝動軸３０と固定的に連結され、前記空き空間３１の上端壁には第一動き空間１１が設けられ、前記第一動き空間１１の上端壁には第一モーター１２が固定的に取り付けられ、前記第一モーター１２にはボルト２が伝動できるように連結され、前記ボルト２の下端が前記第一動き空間１１の下端壁と回転できるように連結され、前記ボルト２には前記第一動き空間１１とスライドできるように連結された第一可動板１０がねじ山によって連結され、前記第一可動板１０には連結棒３が固定的に連結され、前記連結棒３の下端が前記空き空間３１と前記第一動き空間１１との間の壁を貫通して前記空き空間３１の中に延びており、前記連結棒３の下端には固定板６が固定的に連結され、前記固定板６の下端壁には複数の第一スライド溝４が位置的に対称に形成され、前記第一動き空間１１の右側には回転空間１７が設けられ、前記回転空間１７の中には疲労テスト装置が取り付けられ、前記回転空間１７の中には前記回転空間１７の左右両端壁と回転できるように連結されたウォーム３４が取り付けられ、前記ウォーム３４の後部がウォームホイール３８と噛み合っており、前記ウォームホイール３８が第二回転軸３５と固定的に連結され、前記第二回転軸３５の下端が前記回転空間１７の下端壁に回転できるように連結され、前記回転空間１７の下端後部には第二動き空間４１が連結され、前記第二動き空間４１の中には機械装置が設けられている。
【００１４】
有益に、前記疲労テスト装置は、前記第二回転軸３４に固定的に連結されたカム１６を含み、前記カム１６の左端壁には左方に開口したＴ型環状溝１５が形成され、前記Ｔ型環状溝１５には回転棒１４が回転できるように連結され、前記回転棒１４の左端にはスライドロッド１３が固定的に連結され、前記スライドロッド１３が前記回転空間１７と前記空き空間３１との間の壁にスライドできるように取り付けられ且つ前記空き空間３１に延びており、前記スライドロッド１３の下端において前記空き空間３１の中には可動ブロック３３が固定的に連結され、前記可動ブロック３３には固定ブロック２１がスライドできるように連結され、前記固定ブロック２１が下方に開口しており且つ凹溝を有し、前記固定ブロック２１の中には第三スライド溝５８が形成され、前記可動ブロック３３の左右両端において前記第三スライド溝５８の中にはスライドブロック２０が固定的に連結され、前記第三スライド溝５８の底壁には前記スライドブロック２０と固定的に連結された第二ばね２２が取り付けられている。
【００１５】
有益に、前記機械装置は、前記第三回転軸３５に固定的に連結された第一プーリー３９を含み、前記第一プーリー３９が送りベルト４０によって第二プーリー４２と連結され、前記第二プーリー４２が第三回転軸４３と固定的に連結され、前記第二動き空間４１の下側には第三動き空間４４が設けられ、前記第三回転軸４３の下端が前記第三動き空間４４に延びており且つ前記第二動き空間４１と前記第三動き空間４４との間の壁と回転できるように連結され、前記第三回転軸４３において前記第三動き空間４４の中にはスプラインスリーブ４５がスプラインによって連結され、前記スプラインスリーブ４５の外壁には前記第三動き空間４４とスライドできるように連結された第二可動板１８が回転できるように連結され、前記スプラインスリーブ４５の下端には摩擦ブロック４６が固定的に連結され、前記第三動き空間４４の中には前記第三動き空間４４の底壁と回転できるよう連結された第二伝動軸４８が設けられ、前記第二伝動軸４８の下端には第二モーター４９が伝動できるように連結され、前記第二伝動軸４８の上端には摩擦盤４７が固定的に連結されている。
【００１６】
有益に、前記第二可動板１８の上端が複数の第三ばね３６によって前記第三動き空間４４の上端壁と連結され、前記第三動き空間４４の下端が連結空間３７と連結され、前記第二可動板１８の下端が第二固定ブロック５４と固定的に連結され、前記第二可動板１８の左端下部には第一押し棒１９が固定的に連結され、前記第一押し棒１９の下端が前記第三動き空間４４と前記空き空間３３との間の壁を貫通して前記空き空間３３の中に延びており、前記第一押し棒１９の下端が前記固定ブロック２１の上端壁と固定的に連結され、前記第二固定ブロック５４が前記連結空間３７とスライドできるように連結され、前記連結空間３７の下端には前記連結空間３７の前後壁と回転できるように連結された第四回転軸５１が設けられ、前記第四回転軸５１には回転盤５０と第四歯車５２が固定的に連結され、前記回転盤５０が鎖５３によって前記第二固定ブロック５４の下端と連結され、前記第四歯車５２の下端には第二ラック２４が噛み合っており、前記第二ラック２４が前記連結空間３７の底壁とスライドできるように連結され、前記連結空間３７の右側には液圧空間２３が設けられ、前記第二ラック２４の右端が前記液圧空間２３の中に延びており且つ第一ピストン板５５と固定的に連結され、前記液圧空間２３の下端には第二ピストン板２５が設けられ、前記第二ピストン板２５の左端が第二押し棒２６と固定的に連結され、前記第二押し棒２６の左端が前記液圧空間２３の左端壁を貫通して前記第二スライド溝９に延びている。
【００１７】
有益に、前記第一スライド溝４の中にはプローブ７がスライドできるように連結され、前記第一スライド溝４の頂壁には前記プローブ７と固定的に連結された第一ばね５が取り付けられ、前記可動ブロック３３の下端壁には前記プローブ７がスライドできるように連結されている。
【００１８】
初期状態に、前記第一可動板１０が前記第一動き空間１１の頂部に位置する。
【００１９】
作動時に、使用者がテスト予定の圧力センサーを前記引っ掛かり溝５６に取り付け、前記第一モーター１２が作動し前記ボルト２を回転させ、前記ボルト２が前記第一可動板１０によって前記第一連結棒３を降下させ、前記第一連結棒３が前記固定板６を降下させ、前記プローブ７が圧力センサーと接触し、前記プローブ７がデータを制御システムに送って比較し、前記第一モーター１２が逆回転し、前記固定板６が初期位置に戻る。
【００２０】
圧力センサーと前記高精度センサー２８とのデータの差が条件を満たす場合、前記第三モーター３２は作動し、前記第一伝動軸３０が前記第一歯車２９を回転させ、前記第一歯車２９が前記第一ラック２７によって前記トレイ８を右方へ移動させ、前記トレイ８が最右端に移動したとき、前記第三モーター３が止まり、前記トレイ８が前記第二押し棒２６を右方へ押し動かし、前記第二押し棒２６が前記第二ピストン板２５を右方へ移動させ、前記第一ピストン板５５が前記第二ラック２４を左方へ移動させ、前記第二ラック２４が前記第四歯車５２によって前記第四回転軸５１を回転させ、前記第四回転軸５１が前記回転盤５０を回転させ、前記回転盤５０が前記鎖５３を巻き取ることによって前記第二固定ブロック５４が前記第二可動板１８を降下させ、前記第二可動板１８が前記第一押し棒１９と前記スプラインスリーブ４５を降下させ、前記第一押し棒１９が前記固定ブロック２１を降下させ、前記固定ブロック２１の下端が前記トレイ８と接触し、前記スプラインスリーブ４５が前記摩擦ブロック４６を駆動し、前記摩擦ブロック４６が前記摩擦盤４７と接触し、前記第二モーター４９が作動し、前記第二伝動軸４８が前記摩擦盤４７と前記摩擦ブロック４６によって前記スプラインスリーブ４５を回転させ、前記スプラインスリーブ４５が前記第三回転軸４３によって前記第二プーリー４５を回転させ、前記第二プーリー４５が前記送りベルト４０によって前記第一プーリー３９を回転させ、前記第一プーリー３９が前記第三回転軸３５によって前記ウォームホイール３８を回転させ、前記ウォームホイール３８が前記ウォーム３４によって前記カム１６を回転させ、前記カム１６が前記第一回転棒１４によって前記スライドロッド１３を上下に移動させ、前記スライドロッド１３が前記可動ブロック３３を上下に移動させ、前記プローブ７が前記可動ブロック３３につれて圧力センサーと接触することを繰り返す。
【００２１】
作業終了のとき、前記第二モーター４９が止まり、前記第三モーター３２が逆回転し、前記トレイ８が左方へ移動し初期位置に戻り、前記第三ばね３６が前記第二可動板１８を上方へ移動させ、前記第二可動板１８が前記第一押し棒１９と前記第二固定ブロック５４と前記スプラインスリーブ４５を上昇させ、前記固定ブロック５４が前記鎖５３を介して前記回転盤５０を逆回転させ、前記第二押し棒２６が初期位置に戻る。
【００２２】
以上に述べたのはただ本願発明の具体的な実施方式で、本願発明の保護範囲はここに限らないである。全部の創造的な労働を通じなく思いついた変化と取替は本願発明の保護範囲にカバーされる。だから本願発明の保護範囲は権利要求書が限定される保護範囲を標準とする。
【要約】      （修正有）【課題】感度テストと疲労テストが可能な圧力センサーテスト装置を提供する。【解決手段】本体１を含み、本体１の中には空き空間３１が設けられ、空き空間３１の底壁には第二スライド溝９が形成され、第二スライド溝９の下端には第二回転空間５７が設けられ、第二回転空間５７の後端壁には第三モーターが固定的に連結され、前記第三モーターには第二回転空間５７の前後端壁と回転できるように連結された第一伝動軸３０が伝動できるように連結され、第二スライド溝９の中にはトレイ８がスライドできるように連結され、トレイ８の上端壁には引っ掛かり溝５６が位置的に対称に形成され、右端にある引っ掛かり溝５６の中には高精度圧力センサー２８が固定的に連結され、トレイ８の下端には第一ラック２７が固定的に取り付けられている。【選択図】図１【図１】
0006859544.tif 000002
【図２】
0006859544.tif 000003